(57)【特許請求の範囲】
【請求項１】
成形セメント板（２）の外層と、セメント板内面に取付けた鋼材の少なくとも上枠（４ａ）及び下枠（４ｂ）とを備えた枠体（４）と、枠体（４）内に充填発泡させた断熱層（３）とを含み、断熱層（３）が内側表面に、内装面材取付用の条片下地材（５，５´）を平行に埋設露出している断熱複合パネル。
【請求項２】
条片下地材（５，５´）の表面（５ｆ，５´ｆ）が、断熱層（３）の表面（３ｆ）より突出している請求項１の断熱複合パネル。
【請求項３】
条片下地材（５，５´）が、上下方向の配置であり、上端で上枠（４ａ）とは間隔（Ｄ１）を、下端で下枠（４ｂ）とは間隔（Ｄ２）を有する請求項１又は２の断熱複合パネル。
【請求項４】
条片下地材（５）が、断面コ字状の金属材であって、突出平面（５ｆ）と埋設アンカー部（５０）とを備えている請求項１乃至３のいずれか１項の断熱複合パネル。
【請求項５】
条片下地材（５´）が、断面台形の木材又はプラスチック材等の非金属材であって、台形の上辺部を露出した請求項１乃至３のいずれか１項の断熱複合パネル。
【請求項６】
非金属の条片下地材（５´）が左右横方向配置である請求項１，２，４又は５のいずれか１項の断熱複合パネル。
【請求項７】
枠体（４）がアングル鋼材の上下左右枠（４ａ，４ｂ，４ｃ）を備え、枠間には補強材（４０）を備えている請求項１乃至６のいずれか１項の断熱複合パネル。
【請求項８】
枠体（４）が、アングル鋼材の上枠（４ａ）及び下枠（４ｂ）から成り、上下枠間に複数の細長平鋼板（４１）を差し渡し補強した請求項１乃至６のいずれか１項の断熱複合パネル。
【請求項９】
成形セメント板（２）が、内部に多数の並列貫通孔（２ｈ）を通気用に備え、内面に固定したＺクリップ（２Ｚ）を介して上枠（４ａ）及び下枠（４ｂ）に止着した請求項１乃至８のいずれか１項の断熱複合パネル。
【発明の詳細な説明】
【０００１】
【発明の属する技術分野】
本発明は、鉄骨造建築物や鉄筋コンクリート建築物に用いる外壁用の断熱パネルに関するものであり、建築技術分野に属するものである。
【０００２】
【従来の技術（図６）】
従来より、押出成形セメント板が鉄骨造建築用の外壁として使用されている。出願人等は、鉄骨造建築用の断熱複合パネルとして、図８に示す外壁用複合パネルを特願平９−１５２６２８号として提案し、特許第２９９９９８０号として特許登録された。
即ち、図８の複合パネルは、上枠、下枠及び両側枠から成る枠体の外面に、貫通孔を有する成形セメント板の３枚をＺクリップを介して止着し、枠体の内面には内装板（石膏ボード）を配置し、硬質ウレタンフォームの充填発泡によってセメント板、枠体、及び内装板を断熱層によって一体化したものである。
【０００３】
【発明が解決しようとする課題】
図８の特許第２９９９９８０号の複合パネルは、鉄骨造建築物に採用すれば、セメント板に対する硬質ウレタンフォームの現場での吹付け作業も、内装面材の取付け作業も不要となり、建築工期の大幅な短縮化を可能とする、極めて有効な複合パネルではあるが、鉄筋コンクリート建築物に採用すれば、複合パネルの内装面板（典型的には石膏ボード）がコンクリート水を吸水したり、或いは、鉄骨造建築物への適用時ですら建築期間中の吸湿等により、内装面板は、吸湿によってカビを発生したり、汚れたりし、従って、内装仕上げに際しては、内装面板表面の掃除や補修等に手間を要し、場合によっては、内装面板上に再度石膏ボード等のきれいな面板を張設する必要すらあった。
しかも、場合によっては、パネル一体化の石膏ボードのカビが繁殖伝播して、再貼着の石膏ボードにカビ汚染の生ずることもあった。
本発明は、上記問題点を解決するものであり、鉄骨造建築物はおろか、鉄筋コンクリート造建築物にも適用可能な断熱複合パネルの提供を目的とするものである。
【０００４】
【課題を解決するための手段、及び作用】
本発明の断熱複合パネル１は、例えば、図１、図２に示す如く、成形セメント板２の外層と、セメント板内面に取付けた鋼材の少なくとも上枠４ａ及び下枠４ｂとを備えた枠体４と、枠体４内に充填発泡させた断熱層３とを含み、断熱層３が内側表面に、内装面材取付用の条片下地材５，５´を平行に埋設露出したものである（請求項１）。
尚、断熱層３は、発泡硬化する合成樹脂材であれば良く、典型的には硬質ウレタンフォームである。
また、「セメント板内面」、「内側表面」等の内面、内側は、室内側を指すものである。
また、「埋設露出」は、埋設されてはいるが表面が平坦で露見しているものも、表面が突出して露見しているものも含む意味である。
また、セメント板２としては、図示した内部に空気用貫通孔２ｈを有する成形セメント板のみならず、慣用の内面に凹条溝を有する成形セメント板（図示せず）の採用も可能である。
【０００５】
従って、本発明の断熱複合パネル１は、外装材としての成形セメント板２の内側に断熱層３を一体化固定しているため、特許第２９９９９８０号の複合パネル同様に外壁用パネルとして有効に採用出来、枠体と成形セメント板２とにより外壁材としての必要強度を発揮すると共に必要断熱性も発揮する。
しかも、断熱層内側表面には内装面材取付用の条片下地材５を一体的に具備しているため、パネルを用いて外壁形成後に、汚れていない内装面材（図示せず）を下地材５に取付けることとなり、例えパネル内面が搬送、施工過程で汚れていても、パネル内面へのきれいな必要面材の張着が支障なく合理的に実施出来、下地材５，５´が細幅で長い条片であるため、断熱層３の断熱機能低下を招来することもない。
即ち、断熱複合パネル１には、石膏ボード等の内装板がないため、パネル張着作業中の内装板に対する汚れ、欠落、傷の発生の心配もなく、施工中に被水しても断熱層は吸水、吸湿しないためカビの発生がなく、石膏ボード等の内装面板を断熱層３上に当接形態に張設しても、内装面板へのパネルからのカビの伝播汚染の恐れもない。
【０００６】
また、断熱パネル１は、条片下地材５，５´の表面５ｆ，５´ｆが、断熱層３の表面３ｆより突出しているのが好ましい（請求項２）。
この場合、内装面材（図示せず）を条片下地材５，５´に取付ければ、内装面材と断熱層表面３ｆ間には下地材の突出によって空隙が形成出来、断熱層３と内装面材との当接により生ずる音の共振現象が阻止出来るため、遮音低下が抑制出来る。
しかも、下地材の突出は、面材の当接打付け作業が容易である上、例え張設パネル群が不陸（面不斉）を生じていても、パッキン等の付設によって内装面材の打付け張設が面一に、且つ容易に施工出来る。
【０００７】
また、条片下地材５，５´が、上下方向の配置であり、上端で上枠４ａとは間隔Ｄ１を、下端で下枠４ｂとは間隔Ｄ２を有しているのが好ましい（請求項３）。
この場合、下地材５，５´の上端及び下端での間隔Ｄ１，Ｄ２は、該パネルを鉄筋コンクリート造の帳壁として採用する際には、図７（Ａ）に示す如く、パネル下端Ｂｅは床スラブＳの表面Ｓｆより若干下方位置となり、パネル上端部は上階床スラブＳと接触一体化することとなるが、例え下地材５，５´が断熱層表面３ｆより突出していても、間隔Ｄ２によって床スラブＳと隙間ｄｂの存在する形態と出来て、パネルの下端の床スラブ不陸面への対処取付けが可能となり、パネル上端の床スラブとも間隔Ｄ１により形成出来る隙間ｄａの存在により、型枠への組付けは下地材５の干渉の支障を生ずることがなく、間隔Ｄ１，Ｄ２の建物に応じた設定により床スラブ厚の変化にも対応可能となる。
【０００８】
従って、床スラブＳへのパネル固定がスムーズとなり、鉄筋コンクリート造建物の帳壁として好適に採用施工出来る。
勿論、鉄骨造建物の梁等へのパネル堅結作業にあっても、下地材５の上下間隔Ｄ１，Ｄ２の存在は、堅結作業に対する干渉がなく、張設が容易となる。
また、内装工事に於ける電気配線は床から取出して上下方向に敷設するため、条片下地材５の切欠をせずに電気配線の施工が可能となる。
更に、条片下地材５を断熱層表面３ｆから突出させることにより、断熱層３と張設内装面材（典型的には石膏ボード）との空間が配線スペースとなり、配線施工による断熱層３の欠損が抑制出来る。
【０００９】
また、条片下地材５が、断面コ字状の金属材であって、突出平面５ｆと埋設アンカー部５０とを備えているのが好ましい（請求項４）。
この場合、断面コ字状の金属材としては、建材として市販されている軽量鉄骨間仕切のスタット材の採用が有利であり、図２（Ｂ）の如く、折曲部５Ｅは埋設アンカー部５０となる。
【００１０】
従って、該条片下地材５は、断熱層の充填発泡成形によって折曲部５Ｅで断熱層３に強固に保持されると共に、断熱層３の部分的な薄肉化による断熱機能の低下を招来することもなく、突出平面５ｆを介して内装面材が確実、且つ強固に張設出来る。
そして、例え、張設パネルの断熱層相互に不陸（面不一致）があっても、突出平面５ｆ上に飼物（調整用挟着板、パッキン）を介在して内装面材を面一に調整しながら均斉に張設出来る。
更に、金属材の条片下地材５の上下端を、上枠及び下枠と間隔Ｄ１，Ｄ２を保って埋設したため、鋼材の上枠４ａ及び下枠４ｂからの金属材の下地材５への熱橋（ヒートブリッジ）作用も阻止出来る。
【００１１】
また、条片下地材としては、断面台形の木材又はプラスチック材等の非金属材であって、台形の上辺部を露出させるのが好ましい（請求項５）。
この場合、木材やプラスチック材は、コスト面で有利であると共に、熱橋作用の恐れがない。
そして、断面台形で上辺部を露出させて埋設するため、末広がりの斜面部（図５）が抜脱防止のアンカー部５０として機能すると共に、内装面板の止着手段として釘打ちも可能となる。
【００１２】
また、非金属の条片下地材５´が左右横方向配置であるのが好ましい（請求項６）。
この場合、木材やプラスチック材等の非金属下地材５´は、汎用の鋸で切断可能なため、内装施工過程でも下地材５´の切欠が容易となる。
従って、電気配線上の断熱層３及び下地材５´への必要切欠は容易であり、内装面材として慣用の縦長の石膏ボードの張設も、作業員にとって負担の軽い縦張り施工が可能となり、内装面材の張設作業も容易となる。
【００１３】
また、断熱複合パネル１は、枠体４がアングル鋼材（山形鋼材）の上下左右枠４ａ，４ｂ，４ｃを備え、枠間には補強材４０を備えているのが好ましい（請求項７）。
尚、補強材４０は、丸鋼棒や平鋼板等、枠間に差し渡し状に配置して枠と強固に固定出来れば良い。
従って、枠体は、水平辺で成形セメント板２を強固に保持すると共に、垂直辺が断熱層注入用の型となり、垂直辺に設けた取付孔Ｈ１（図１）から断熱層注入が可能となるため、必要剛性を備えた複合パネルの製作が容易となる。
【００１４】
しかも、枠体４が必要剛性を備えた強固なものであるため、工場でのパネル製作時の注入発泡断熱層の発泡圧による変形歪も抑制出来ると共に、図７の如く、パネルを鉄筋コンクリート造建物の帳壁として床スラブ間に張設しても、或いは鉄骨造建築物の帳壁に採用しても、外壁としての必要、且つ充分な強度を発揮する。
【００１５】
また、枠体４が、アングル鋼材の上枠４ａ及び下枠４ｂから成り、上下枠間に複数の細長平鋼板４１を差し渡し補強した物であるのが好ましい（請求項８）。
この場合、断熱層３の注入発泡に際しては、両側に型枠を当接して実施すれば良い。
そして、複数の細長の平鋼板４１で補強された上枠４ａと下枠４ｂとで構成された枠体４は、上下左右枠で形成された枠体と同様の成形セメント板２の強固な保持が可能となると共に、上枠４ａ、下枠４ｂに取付け用ボルト孔Ｈ１及び吊下げ用アイボルト孔Ｈ２等を付設することにより、該複合パネル１の建付け時の吊下げ作業、及び床スラブや取付け用梁への強固な取付けも容易となる。
そして、上下枠での枠組みであるため、四周枠の如きコーナー部での煩雑な溶接固定作業が不要となる。
しかも、側枠がないため、側枠に対する熱橋作用抑制の配慮が不要となり、枠体４の製作、断熱複合パネルの製作、及び建築施工が合理化出来る。
【００１６】
また、断熱複合パネル１は、成形セメント板２が、内部に多数の並列貫通孔２ｈを通気用に備え、内面に固定したＺクリップ２Ｚを介して上枠４ａ及び下枠４ｂに止着するのが好ましい（請求項９）。
尚、成形セメント板２は、貫通孔２ｈを内部に並列配置した形状に押出し成形したものである。
【００１７】
従って、密着型の外断熱パネルでありながら通気層を具備したパネルとなり、セメント板２は、Ｚクリップ２Ｚによって枠体４に取付けるため、図１の如く、１枚のパネル外装板として複数枚のセメント板２を並列配置する場合にも、各セメント板２相互の位置調節が容易となり、セメント板２の枠体への取付けが容易となる。
従って、後貼りの内装面板が下地材上に不陸調整しながら面一に打付け可能であることと相俟って、断熱複合パネルで形成される外壁は、外面も内面も面一できれいに建付け出来る。
【００１８】
【発明の実施の形態】
〔例１〕
〔パネルの構造（図１，図２）〕
標準の断熱複合パネル１は、図１に示す如く、幅Ｗ１が１８００mmで長さＬ１が２８００mmであり、成形セメント板２の厚さＴ２が６０mm、断熱層３の厚さＴ３が７５mmであり、図２に示す如く、断面コ字状で金属製の条片下地材５は、幅Ｗ５が５０mmで、厚さＴ５が４５mmであり、表面５ｆが断熱層表面３ｆよりｔ１（１０mm）突出し、ｔ２（３５mm）の深さで断熱層３中に埋設し、埋設端の折曲面５Ｅがアンカー部５０であり、且つ上端がパネル上端面Ｂｔと間隔Ｄ１が２２０mm、下端がパネル下端面Ｂｅと間隔Ｄ２が４０mmの形態に断熱層３中に埋設露出している。
【００１９】
枠体４は、上枠４ａ、下枠４ｂ、及び側枠４ｃが等辺山形鋼材（アングル鋼材）であって、パネル面に対する各水平辺がセメント板に当接し、各垂直辺が断熱層周辺規定面である。
そして、上下左右枠を慣用の溶接手段により一体化し、上枠４ａ、下枠４ｂ、及び左右側枠４ｃの垂直辺によって断熱層３充填用の側方型枠を形成し、両側枠４ｃ間の中間適所に丸鋼棒４０を差し渡し状に溶接固定したものである。
また、上枠４ａ及び下枠４ｂの垂直辺の適所には、取付ピンＭｐ（図７）用の孔Ｈ１、及びパネル吊下げ用の孔Ｈ２を穿設しておく。
【００２０】
１枚の成形セメント板２は、厚さ（Ｔ２）６０mmであって、１側面には突起２１を、他側面には凹部２２を全長に亘って備え、内部に幅Ｗｈが３４mmの上下貫通孔２ｈを並列配置した形態に、セメント、ケイ酸質原料及び繊維質原料の混合剤を押出成形し、オートクレーブ養生したものであり、成形歪の生じない程度の幅として、１枚のセメント板２は、標準幅が６００mmのものである。
【００２１】
〔パネルの製作（図３）〕
成形固定盤Ｂｐ上に、予めＺクリップ２Ｚをボルトナット手段で仮止め配置した成形セメント板２の３枚を、Ｚクリップ２Ｚを上面にして側面の突起２１と凹部２２との嵌合によって連接載置し、枠体４をセメント板上に載置して各セメント板２のＺクリップ２Ｚを上下枠の水平辺に係止して締着固定する。
次いで、条片下地材５を保持した仕切板６（図３）を枠体４上に載置して、セメント板２、枠体４の各垂直辺及び仕切板６によってキャビティを構成し、枠体４の垂直辺に設けた取付ピン用の孔Ｈ１から断熱層３としての硬質ウレタンフォームを注入、発泡、凝固させ、仕切板を外し、硬質ウレタンによって成形セメント２、枠体４、及び条片下地材５の一体化した複合パネルを得る。
【００２２】
尚、仕切板６は、図３に示す如く、幅Ｗ６が２０００mmで長さＬ６が３０００mmの構造用合板６ａ上に２mm厚の離型用のポリエチレン板６ｂを接着一体化したものであり、ポリエチレン板６ｂ面から条片下地材５嵌合用の深さ１０mm、幅Ｗ５（５０mm）の溝６Ｇを所定間隔に配置したものであり、型セットに際しては、溝６Ｇに条片下地材５の表面５ｆを溝６Ｇの底面に当接し、構造用合板６ａ側からネジ固定するか、或いは、溝６Ｇ底面と下地材表面５ｆ間に両面テープの小片等の適当な仮止め手段を介在するかして下地材５を仕切板６に仮止着した後、仕切板６を下地材５側を下にして枠体４上に載置セットする。
【００２３】
また、断熱層３の注入成形は、図３（Ｃ）の如く、成形セメント板２、枠体４、及び下地材５を保持した仕切板６から成るパネル１枚分の成形型Ｐｓを数段（５〜１０段）積層して型プレスし、各成形型の枠体の孔Ｈ１から各成形型に同時に断熱層３を充填発泡させることにより、パネルの複数枚を同時に成形する。
【００２４】
そして、成形型内の硬質ウレタンフォームの冷却後、仕切板６を外せば、下地材５は断熱層表面３ｆから１０mm突出し、且つ下地材５の折曲部５Ｅが断熱層３中にアンカー部５０として保持された複合パネル１が得られる。
尚、仕切板６は、ポリエチレン板６ｂ面で硬質ウレタンフォーム表面を規定しているため、仕切板６の断熱層表面３ｆからの離型は平滑に遂行出来る。
【００２５】
〔パネルの使用（図７）〕
本発明の断熱複合パネル１は、従来の鉄骨造建物の外壁パネルとしても有効であるが、特に、出願人が先に提案した鉄筋コンクリート造壁式構造の外壁形成方法（特願２００１−１８８１４７号）の帳壁複合パネルに適する。
即ち、図７に概略示す如く、複合パネル１の下枠４ｂを、取付孔Ｈ１に挿通した取付ピンＭｐを介して下階床スラブＳの取付具Ｍに固定すると共に、複合パネル１の上枠４ａを、取付孔Ｈ１に挿通した取付ピンＭｐを介して上階床スラブＳの型枠中の取付具Ｍに固定し、上階床スラブＳのコンクリート打設によって、上枠４ａも上階床スラブに固定する。
【００２６】
断熱複合パネル１を鉄筋コンクリート造壁式構造の帳壁パネルとして採用すれば、図７（Ａ）の如く、パネル下端は、固化床スラブＳに固定した取付具Ｍに載置し、パネル上端は、図７（Ｂ）の如く、上階床スラブＳの型枠に組付け、コンクリート打設することとなり、パネル上部の硬質ウレタンフォームの断熱層３は、打設コンクリート液と面接触することとなるが、断熱層３は吸水しない。
【００２７】
また、条片下地材５は、上端をパネル上端面Ｂｔとの間隔Ｄ１（図２）、及び下端とパネル下端面Ｂｅとの間隔Ｄ２（図２）により、上階床スラブＳおよび下階床スラブＳに対応して、下地材上下端は図７（Ａ）の如く、床スラブと離すことが出来るため、パネル上端にあっては、上階床スラブの型枠組付けに於ける条片下地材５の干渉がなく、型枠組みが容易となる。
また、パネル下端にあっては、固化床スラブへの載置時に床スラブＳの上面Ｓｆに不陸があっても、条片下地材５と床スラブ上面Ｓｆとの衝突損傷が隙間ｄｂにより阻止出来る。
勿論、上階床スラブＳ下面と条片下地材５上端との間隔ｄａ、下階床スラブＳ上面と条片下地材５下端との間隔ｄｂは下地材５への内装面材（図示せず）の釘等による張設に何ら支障ない。
【００２８】
従って、本発明の図１の断熱複合パネル１は、鉄筋コンクリート造壁式溝法に於ける帳壁パネルとして採用しても、コンクリート打設によるパネル内側面の吸水によるカビ発生がなく、パネル内側面が汚れても、内装仕上施工時に条片下地材５へ慣用の内装面材を、釘、スクリューネジ等で張設するためきれいに仕上がる。
また、内装面材は、条片下地材５によって断熱層３と１０mmの空気層を保持した形態であるため、室内側での発生音も内層面材から断熱層３への共振増幅がなく、遮音性が維持出来る。
【００２９】
また、条片下地材５は、縦方向に適当間隔を保って配置しているので、内装工事での床から室内への上下方向の電気配線は、下地材５を切断せずに可能であり、しかも、下地材５と断熱層３との空間は配線スペースに利用出来、断熱層３の配線工事での欠損も、ソケット取付口等最小限に抑制出来る。
また、張設した各複合パネル１間に若干の面不斉が生じても、内装面材は条片下地材５上にパッキン等の当て物を介在して下地材５に取付けることにより、面一に張設出来る。
【００３０】
〔例２（図４）〕
図４は、成形セメント板２、枠体４、及び断熱層３は例１と同じであり、条片下地材５´のみを例１の下地材５と変えたものである。
即ち、条片下地材５´として断面台形のプラスチック材を採用し、下地材５´をパネルの横方向に適宜間隔で配置したものである。
この場合、仕切板６´には、図６に示すごとく、下地材５´の台形の上辺が１０mm入り込むための溝６´Ｇを、且つ横方向に配置し、例１同様に、条片下地材５´を仕切板６´に仮止着し、例１同様に、型セットし、硬質ウレタンフォームを注入、発泡、凝固させ、仕切板６´を取外せば良い。
【００３１】
このパネルの製作に際しては、条片下地材５´が横方向であるため、最上段と最下段の条片下地材５´を上枠４ａ及び下枠４ｂに対し、例１の間隔Ｄ１及びＤ２に相当する寸法を置いて配置すれば、例１のパネル同様に、図１（Ｂ）に示す如き、鉄筋コンクリート造壁式構法での帳壁パネルに好適に採用出来る。
また、条片下地材５´はプラスチック材であるため両側枠４ｃに接触しても熱橋作用を奏する心配はない。
【００３２】
そして、内装面板は、典型的には市販の幅９００mm、長さ１８００mmの縦長の石膏ボードを用いるが、条片下地材５´が横方向配置であるため、内装面板は、下地材５´上に縦方向に配置して釘打ちし、順次横移動して横方向に釘打ちする、いわゆる縦貼り作業（細長内装面材を縦方向に貼る作業）となり、作業が容易である。
また、内装工事での電気配線時には、一部で下地材５´を切欠する場合も生じるが、プラスチック材は鋸での切断が容易である。
従って、例１のパネルと比べて、電気配線工事で若干煩雑となるが、内装面材の張設は、作業性の良い縦貼り作業が可能となり、例２の断熱複合パネルも、例１同様に所期の目的が達成出来る。
【００３３】
〔例３（図６）〕
図６は、断熱層３を除去した斜視図であって、このパネルは、例１（図１）及び例２（図４）のパネルに対し、枠体４を変更し、且つセメント板２内面にクラフト紙３０を介在させたものである。
即ち、枠体４は、等辺山形鋼材（アングル鋼材）の上枠４ａと下枠４ｂとの間に補強用の細長平鋼板４１を溶接により差し渡し固定したものであり、側枠は存在しない。
【００３４】
このパネルの製作に際しては、型セット時に、上下枠間に側面型枠材（図示せず）を付加してセットすれば良い。
また、仕切板６による条片下地材５，５´等の形成は、例１の縦配置でも例２の横配置でも良い。
得られるパネルは、側枠がないため、例１、例２のパネルと比べて側枠部分での熱橋防止となる。
【００３５】
更に、建物躯体に固着された成形セメント板２とクラフト紙３０を介して断熱層が存在し、内装面板は断熱層一体の条片下地材５，５´と一体化したため、外壁の振動に際してセメント板２と石膏ボード（内装面板）とが別々に動き、内装面板（石膏ボード）の継目でのクラック発生が抑制出来る。
勿論、断熱層３は、セメント板内面と面接着していないが、細長平鋼板４１によって浮き上りは阻止される。
従って、例３（図６）のパネルは、例１、例２のパネルと比べて、断熱層成形型枠のセットの面で煩雑ではあるが、側枠省略による枠体４の溶接作業が容易となり、熱橋防止面、石膏ボードの継目でのクラック発生抑制面で有利であり、発明の所期の目的は達成出来る。
【００３６】
〔その他〕
本発明の例１、例２、例３では、何れも成形セメント板２は、セメント板に固定したＺクリップ２Ｚを上枠４ａ及び下枠４ｂに係止固定しているが、必要に応じて、下枠４ｂにセメント板受け片を突設してＺクリップと共にセメント板２を支承しても良い。
この場合は、セメント板２の枠体での支持がより強固となり、地震時にもセメント板２の枠体４からの脱落が抑制出来る。
また、条片下地材５´のアンカー部５０としての傾斜面に切込溝等を施せば、傾斜面のアンカー機能が増大し、傾斜面も緩傾斜面と出来る。
【００３７】
【発明の効果】
本発明の断熱複合パネル１は、成形セメント板２を鋼材枠４に取付けているため、鉄骨造や鉄筋コンクリート造建物の外壁パネルとして採用することにより、外壁としての必要強度と外断熱機能を発揮すると共に、外壁形成後に、断熱層３に埋設露出した条片下地材５に石膏ボード等の内装面材を取付けるため、外壁パネル内面を所望の内装面材できれいに仕上げることが出来る。
【００３８】
従って、鉄筋コンクリート造壁式構法の帳壁に用いても、床スラブコンクリートの打設に伴う外壁内面の吸水、吸湿、カビ発生の問題にも完璧に対処出来、鉄骨造建物の外壁パネルとしても、施工後に内装面板の簡単な張設によってきれいな外壁構造とすることが出来るため、搬送、施工中の汚れや、施工中の雨水等による汚染の心配なく使用出来る。
【００３９】
また、条片下地材５は、断熱層３より突出させて埋設露出させることにより、内装面板は断熱層３と空間を有する形態となるため、室内音の内装面板と断熱層との共振現象を阻止し、外壁としての遮音性の低下が抑制出来る。
また、断熱層３は外装板としての成形セメント板２と枠体４と条片下地材５とを充填成形で一体化するため、所望形態に構６Ｇを配置した仕切板６を用いることにより、条片下地材５の適宜本数を適宜位置での、適宜配置固定が簡便に実施出来、適用建物に応じた条片下地材５の合理的配置が可能であり、各種外壁用の外断熱複合パネルの簡便な製作、提供が可能となり、鉄筋コンクリート造壁式建物に好適な外壁用複合パネルの提供も、鉄骨造建物に好適な外壁用複合パネルの提供も、本発明の範囲内で提供可能となる。
【図面の簡単な説明】
【図１】本発明例１のパネルの一部切欠斜視図である。
【図２】本発明例１のパネルの図であって、（Ａ）は、図１（Ａ）のＡ−Ａ断面図、（Ｂ）は、図１（Ａ）のＢ−Ｂ断面図である。
【図３】本発明例１の製作説明図であって、（Ａ）は、使用仕切板６の斜視図、（Ｂ）は、仕切板への条片下地材５の配置説明図、（Ｃ）は、成形型セットの説明図である。
【図４】本発明例２のパネルの一部切欠斜視図である。
【図５】本発明例２のパネルの製作説明図であって、（Ａ）は、使用仕切板６´の斜視図、（Ｂ）は、仕切板への条片下地材５´の配置説明図である。
【図６】本発明例３のパネルの一部切欠斜視図である。
【図７】本発明パネルの鉄筋コンクリート造建物の帳壁パネルへの使用状態説明図で、（Ａ）はパネル１の上下端固定状態を、（Ｂ）は上端の床スラブ型枠への組付状態を示す図である。
【図８】従来例の説明図であって、（Ａ）は斜視図、（Ｂ）は、（Ａ）のＢ−Ｂ断面図、（Ｃ）は、（Ａ）のＣ−Ｃ断面図である。
【符号の説明】
１：断熱パネル、        ２：セメント板（成形セメント板）、
２ｈ：貫通孔、          ２Ｚ：Ｚクリップ、
３：断熱層              ３ｆ：断熱層表面、      ４：枠体、
４ａ：上枠、            ４ｂ：下枠、            ４ｃ：側枠、
５，５´：条片下地材（下地材）、              ５ｆ，５´ｆ：下地材表面、
６，６´：仕切板、                            ６ａ：構造用合板、
６ｂ：ポリエチレン板（離型板）、              ６Ｇ，６´Ｇ：溝、
４０：丸鋼棒（補強材）、                      ４１：平鋼板（補強材）、
５０：アンカー部
【図１】
0003679381.tif 000002
【図２】
0003679381.tif 000003
【図３】
0003679381.tif 000004
【図４】
0003679381.tif 000005
【図５】
0003679381.tif 000006
【図６】
0003679381.tif 000007
【図７】
0003679381.tif 000008
【図８】
0003679381.tif 000009